(57)【要約】【課題】            無駄な空調電力の消費を防ぐことができる空調制御システムを提供する。【解決手段】        室内外の境界である開口部を開閉する開閉装置１０と、該開閉装置１０により区切られる空間を空調する空調装置２０とを具備してなる空調制御システムであって、前記開閉装置１０の開閉状況を示す開閉状況信号を出力する開閉状況信号出力手段と、入力される前記開閉状況信号に応じて前記空調装置２０を節電状態にする節電制御手段とを備えた。【選択図】図１
2011190970.tif 000002
【特許請求の範囲】
【請求項１】
室内外の境界である開口部を開閉する開閉装置と、該開閉装置により区切られる空間を空調する空調装置とを具備してなる空調制御システムであって、
前記開閉装置の開閉状況を示す開閉状況信号を出力する開閉状況信号出力手段と、入力される前記開閉状況信号に応じて前記空調装置を節電状態にする節電制御手段とを備えたことを特徴とする空調制御システム。
【請求項２】
前記開閉装置を複数備えるとともにこの開閉装置毎に前記開閉状況信号出力手段を備え、これら開閉状況信号出力手段から出力される前記開閉状況信号より、前記開閉装置が全て全閉でないと判断した場合に、前記節電制御手段によって前記空調装置を節電状態にすることを特徴とする請求項１記載の空調制御システム。
【請求項３】
前記開閉状況信号から把握される前記開閉装置の開放状態が所定時間以上継続している場合に、開閉装置の閉鎖喚起を音声表示及び／又は視覚表示するようにしたことを特徴とする請求項１又は２記載の空調制御システム。
【請求項４】
前記開閉状況信号に応じて前記開閉装置の開閉状況を表示するようにしたことを特徴とする請求項１乃至３何れか１項記載の空調制御システム。
【請求項５】
前記開閉装置を閉鎖指令によって自動閉鎖するように構成し、
前記開閉装置に対する閉鎖指令と、前記空調装置の運転開始とを連動させたことを特徴とする請求項１乃至４何れか１項記載の空調制御システム。
【請求項６】
前記開閉装置を閉鎖指令によって自動閉鎖するように構成し、
前記開閉状況信号から開放状態の前記開閉装置があると判断した場合に、その開放状態の開閉装置に閉鎖指令を発するようにしたことを特徴とする請求項１乃至４何れか１項記載の空調制御システム。
【発明の詳細な説明】
【技術分野】
【０００１】
本発明は、開閉装置によって区切られる空間を空調装置によって空調するようにした空調制御システムに関するものである。
【背景技術】
【０００２】
従来、窓やドア、シャッター装置等、室内外の境界である開口部を開閉する開閉装置と、該開閉装置により区切られる空間を空調する空調装置とは、それぞれ独立して作動するものであって連動していなかった（例えば、特許文献１参照）。
そのため、建物の開口部が開閉装置により開放されている状態で、空調装置が動作しているような場合が生じ、このような場合には、外気が室内に入り込むとともに、空調した空気が室外に逃げることになり、無駄に空調電力を消費してしまうことになる。そして、このような状況は、特に開閉装置が複数ある場合に、使用者等に把握され難い。
【先行技術文献】
【特許文献】
【０００３】
【特許文献１】特開平１１−２７０２５２号公報
【発明の概要】
【発明が解決しようとする課題】
【０００４】
本発明は、このような問題に対処することを課題の一例とするものである。すなわち、無駄な空調電力の消費を防ぐこと、開閉装置が複数ある場合でも無駄な空調電力の消費を把握し易くすること、無駄に空調電力が消費されていることを使用者等に報知すること、等が本発明の目的である。
【課題を解決するための手段】
【０００５】
このような目的を達成するために、本発明に係る技術的手段は、以下の構成を少なくとも具備するものである。
【０００６】
室内外の境界である開口部を開閉する開閉装置と、該開閉装置により区切られる空間を空調する空調装置とを具備してなる空調制御システムであって、前記開閉装置の開閉状況を示す開閉状況信号を出力する開閉状況信号出力手段と、入力される前記開閉状況信号に応じて前記空調装置を節電状態にする節電制御手段とを備えたことを特徴とする。
【発明の効果】
【０００７】
このような特徴を有することで本発明は以下の作用効果を奏する。
開閉状況信号出力手段は、開閉装置の開閉状況に応じた開閉状況信号を出力する。そして、空調装置は、開閉状況信号に応じた節電状態になる。よって、開閉装置が開放状態のままで、空調装置が運転されているような状況を防ぐことができる。
【図面の簡単な説明】
【０００８】
【図１】本発明に係る空調制御システムの一例を示すブロック図である。
【図２】同空調制御システムによる制御動作を示すフローチャートである。
【図３】本発明に係る空調制御システムの他例について、制御動作を示すフローチャートである。
【図４】本発明に係る空調制御システムの他例について、制御動作を示すフローチャートである。
【発明を実施するための形態】
【０００９】
本発明に用いる開閉装置は、建築物等の開口部や内部空間を開閉体によって開閉するものであればよく、この開閉装置の具体例としては、オーバーヘッドドアを含むシャッター装置、ロールスクリーン装置、スライディングウォール装置、防煙垂れ壁装置、防煙垂れ幕装置、オーニング装置、窓、ドア、雨戸、引戸等が挙げられる。
【００１０】
また、本発明に用いる空調装置は、空気調和（温度・湿度・空気清浄度などの室内環境の調整）をするための装置であればよく、この空調装置の具体例としては、パッケージ・エア・コンディショナーやルーム・エア・コンディショナー等が挙げられる。
【００１１】
上記開閉状況信号出力手段の具体例としては、開閉装置の開閉体を接触式感知センサ（例えばリミットスイッチ等）により接触感知してその感知信号を開閉状況信号として出力するようにした態様が挙げられる。また、他例としては、開閉装置の開閉体を非接触式感知センサ（例えば、近接スイッチ、光電管等）により感知してその感知信号を開閉状況信号として出力する態様があげられる。
【００１２】
また、節電制御手段の具体例としては、空調装置の圧縮機及び／又は送風機をオンオフ制御する態様や、空調装置の圧縮機及び／又は送風機をインバータ制御する態様、空調装置の圧縮機をアンロード運転する態様等が挙げられる。
【００１３】
本発明に係る好ましい一形態では、前記開閉装置を複数備えるとともにこの開閉装置毎に前記開閉状況信号出力手段を備え、これら開閉状況信号出力手段から出力される前記開閉状況信号より、前記開閉装置が全て全閉でないと判断した場合に、前記節電制御手段によって前記空調装置を節電状態にする。
この形態によれば、開閉装置の全てが全閉でない場合に、空調装置を自動的に節電状態にすることができる。
【００１４】
更なる形態では、前記開閉状況信号から把握される前記開閉装置の開放状態が所定時間以上継続している場合に、開閉装置の閉鎖喚起を音声表示及び／又は視覚表示する。
この形態によれば、開閉装置の開放状態が所定時間以上継続している場合に、その状態を使用者等が当該システムの音声表示及び／又は視覚表示により速やかに認識することができる。
【００１５】
更なる形態では、前記開閉状況信号に応じて前記開閉装置の開閉状況を表示する。
この形態によれば、使用者等が開閉装置の開閉状況を速やかに認識することができる。
【００１６】
更なる形態では、前記開閉装置を閉鎖指令によって自動閉鎖するように構成し、前記開閉装置に対する閉鎖指令と、前記空調装置の運転開始とを連動させる。
この形態によれば、開閉装置を閉鎖指令によって閉鎖動作すれば、それに連動して空調装置の運転を開始することができる。
【００１７】
更なる形態では、前記開閉装置を閉鎖指令によって自動閉鎖するように構成し、前記開閉状況信号から開放状態の前記開閉装置があると判断した場合に、その開放状態の開閉装置に閉鎖指令を発する。
この形態によれば、開放状態の開閉装置がある場合に、その開閉装置を自動閉鎖することができる。
【００１８】
以下、本発明の実施の形態を図面に基づいて説明する。
この空調制御システムは、室内外の境界である開口部を開閉する複数の開閉装置１０と、該開閉装置１０により区切られる空間を空調する空調装置２０とを具備している。
開閉装置１０は、窓や、ドア、引戸、シャッター装置等、開閉体の開閉動作により空間を仕切ったり開放したりする装置であればよい。この開閉装置１０は、前記開閉体の開閉状況を出力するために図示しない開閉状況信号出力手段を具備している。
【００１９】
前記開閉状況信号出力手段は、例えば、全閉した際の開閉体を接触式又は非接触式のセンサ（例えば近接スイッチやリミットスイッチ等）により感知し、その感知信号を開閉状況信号として出力する構成とする。
この開閉状況信号出力手段は、後述する空調装置２０の制御部２２に有線接続される。なお、他例としては、開閉状況信号手段の感知信号を無線出力し、その無線信号を制御部２２による受信する態様とすることも可能である。
【００２０】
空調装置２０は、冷凍サイクルを用いて空気調和を行うエアーコンディショナーであり、冷凍サイクル中の冷媒を圧縮して循環させる圧縮機２１、該圧縮機２１等を制御する制御部２２、当該空調装置２０の運転状況及び開閉装置１０の開閉状況を表示する表示部２３、室内側熱交換器（図示せず）、室外側熱交換器（図示せず）、送風機（図示せず）等を具備している。
【００２１】
なお、図示例では単数の空調装置２０を有する態様としているが、複数の空調装置２０を有する態様とすることも可能である。
【００２２】
圧縮機２１は、冷媒を圧縮する機構（例えば、ピストン及びシリンダー機構、ロータリー機構、又はスクロール機構等）からなる圧縮部と、該圧縮部を駆動する動力源となるモータとからなる。前記モータは、制御部２２に具備されたインバータ電源装置によって回転数制御される。
【００２３】
制御部２２は、ＣＰＵや記憶装置等からなる所謂マイコン回路、及びインバータ電源装置等を具備してなり、開閉装置１０からの開閉状況信号に応じて空調装置２０を節電状態にする節電制御手段として機能する。
また、この制御部２２は、表示部２３を用いて開閉装置１０の閉鎖喚起を音声表示及び／又は視覚表示する手段や、開閉装置１０の開閉状況を表示する手段、その他後述するフローチャートに示す制御動作を行う手段として機能する。
【００２４】
表示部２３は、液晶パネル及びスピーカー等を具備した周知の表示装置であり、制御部２２からの表示信号に応じた音声表示及び／又は視覚表示により、空調装置２０の運転状況の表示や、開閉装置１０の閉鎖喚起、開閉装置１０の開閉状況の表示等を行う。
この表示部２３は、空調装置２０の他の部位とは別体であって、建物内の見やすい箇所に設置される。
【００２５】
次に、前記制御部２２による制御動作について、図２に示すフローチャートを用いて詳細に説明する。
先ず、制御部２２は、図示しない操作部（コントローラ等）からの信号に応じて、空調装置２０の運転を開始する（ステップ１）。具体的には、圧縮機２１や図示しない送風機に電源を供給する。
【００２６】
次に、ステップ２では、各開閉装置１０の開放状況を放置する。より詳細に説明すれば、制御部２２は、開閉装置１０の前記開閉状況信号出力手段から出力される開閉状況信号に応じて、各開閉装置１０の開閉状況を表示部２３に表示する。
【００２７】
次に、ステップ３では、前記開閉状況信号より、複数の開閉装置１０が全て全閉であるか否かを判断し、開閉装置１０が全て全閉であると判断した場合には当該ステップ３による処理を繰り返し、全閉でない開閉装置１０があると判断した場合には次のステップ４へ処理を進める。
【００２８】
ステップ４では、空調装置２０を節電状態にする。より詳細に説明すれば、制御部２２は、インバータ電源装置の出力を下げることで、圧縮機２１の回転数を低下する。したがって、空調装置２０全体としては、節電状態で運転されることになる。
【００２９】
ステップ５では、前記開閉状況信号に基づき、開閉装置１０の開放状態が所定時間以上継続しているか否かを判断し、所定時間以上継続していると判断した場合にはステップ６へ処理を進め、そうでない場合にはステップ７へ処理をジャンプする。
【００３０】
ここで、開閉装置１０の開放状態が所定時間以上継続しているか否かの判断は、複数の開閉装置１０のうち、一つでも全閉でない開閉装置１０がある場合に、その開閉装置１０の状態が所定時間以上継続しているか否かを、前記開閉状況信号に基づいて判断すればよい。
また、他例としては、開閉装置１０の開放状態が所定時間以上継続しているか否かの判断を、複数の開閉装置１０についてそれぞれ行うようにすることも可能である。
【００３１】
また、前記ステップ５における前記所定時間は、例えば、出入り口で一般的に人の出入りに要する時間や、窓から外に干した洗濯物を取り込む時間等を目安に設定すればよい。
【００３２】
ステップ６では、表示部２３に開閉装置１０の閉鎖喚起を音声表示及び／又は視覚表示する。具体的には、例えば「窓を閉めて下さい」等の音声表示及び／又は視覚表示を行う。
【００３３】
ステップ７では、前記開閉状況信号に基づき、複数の開閉装置１０が全て全閉であるか否かを判断し、全て全閉であれば次のステップ８へ処理を進め、そうでなければ前記ステップ５へ処理を戻す。
【００３４】
ステップ８では、空調装置２０の節電状態を解除する。より詳細に説明すれば、制御部２２は、インバータ電源装置の出力を上げることで、圧縮機２１の回転数を元の状態まで上げる。したがって、空調装置２０は、節電をしない通常の運転状態に戻る。
そして、ステップ８の後、制御部２２による処理はステップ３へ戻される。
【００３５】
なお、使用者等の操作により空調装置２０をオフにする指令があった場合には、上記何れのステップにおいても空調装置２０をオフにすることが可能である。
【００３６】
而して、本実施の形態の空調制御システムによれば、全閉でない開閉装置１０がある場合に、自動的に空調装置２０を節電状態にすることができる。よって、空調装置２０の電力が無駄に消費されるのを防ぐことができる。
しかも、居住者等は、表示部２３の表示内容によって、どの開閉装置１０が開放状態にあるのかを認識することができる。
また、長時間開放の開閉装置１０がある場合には、その開閉装置１０の閉鎖喚起を自動的に行うことができる。
【００３７】
次に、図３に制御例を示す他の実施の形態について説明する。
この実施の形態では、開閉装置１０として、閉鎖指令を受けて開閉体を自動閉鎖される構成のもの（例えば電動シャッター装置）を用いており、開閉装置１０に対する閉鎖指令と空調装置２０の運転開始とを連動させている。
【００３８】
図３のフローチャートは、図２のフローチャートのステップ１を、ステップ１ａ，１ｂ，１ｃに変更したものであるため、その変更部分についてのみ説明する。
【００３９】
先ず、ステップ１ａでは、制御部２２が、図示しない操作部（コントローラ等）からの信号に応じて開閉装置１０へ閉鎖指令を発する。したがって、開閉装置１０は、前記閉鎖指令に応じて閉鎖動作を開始する。
【００４０】
次に、ステップ１ｂでは、空調装置２０の運転を開始する。
【００４１】
次に、ステップ１ｃでは、所定時間ｔ１が経過するのを待ち、その所定時間ｔ１の経過後に、ステップ２へ処理を進める。
前記所定時間ｔ１は、開閉装置１０が閉鎖動作を開始してから全閉するまでの時間よりも若干長い時間に設定される。
【００４２】
そして、ステップ２以降は、先に説明した実施の形態と同様である。
【００４３】
而して、前記他の実施の形態によれば、開閉装置１０の閉鎖動作と空調装置２０の運転開始とを連動させることができる。ひいては、開閉装置１０が閉鎖する前に、空調装置２０のみが運転されてしまい、空調装置２０の空調エネルギーを無駄に消費してしまうようなことを防ぐことができる。
【００４４】
次に、図４に制御例を示す他の実施の形態について説明する。
この実施の形態においても、開閉装置１０として、閉鎖指令を受けて自動閉鎖される構成のもの（例えば電動シャッター装置や、電動引戸装置等）を用いる。
【００４５】
図４のフローチャートは、図２のフローチャートのステップ４を、ステップ４ａ，４ｂ，４ｃ，４ｄ，４ｅに変更したものであるため、その変更部分についてのみ説明する。
【００４６】
ステップ４ａでは、先に説明した実施例と同様にして、空調装置２０を節電状態にする。
【００４７】
ステップ４ｂでは、所定時間ｔ２が経過するのを待ち、その所定時間ｔ２の経過後に、ステップ４ｃへ処理を進める。
前記所定時間ｔ２は、空調装置２０によって区切られる空間の内外に人が出入りする時間を確保するように適宜設定される。
【００４８】
ステップ４ｃでは、開閉装置１０から入力された開閉状況信号に基づき、開放状態の開閉装置１０があるか否かを判断し、開放状態の開閉装置１０がある場合には次のステップ４ｄへ処理を進め、そうでなければステップ３へ処理を戻す。
【００４９】
ステップ４ｄでは、開閉装置１０へ閉鎖指令を発する。したがって、開閉装置１０は、閉鎖動作することになる。なお、開閉体の閉鎖経路に障害物があり、開閉装置１０が障害物感知装置の作動によって停止している場合には、開閉装置１０の再閉鎖を行わないようにする。
【００５０】
ステップ４ｅでは、所定時間ｔ１が経過するのを待ち、その所定時間ｔ１の経過後に、ステップ５へ処理を進める。
前記所定時間ｔ１は、開閉装置１０が閉鎖動作を開始してから全閉するまでの時間よりも若干長い時間に設定される。
【００５１】
そして、ステップ５以降は、先に説明した実施の形態と同様である。
【００５２】
而して、この実施の形態によれば、空調装置２０の節電状態での運転中、開放状態の開閉装置１０がある場合に、その開閉装置１０を自動的に閉鎖することができる。ひいては、空調装置２０の空調エネルギーが無駄に消費されるのを、より効果的に防ぐことができる。
【００５３】
なお、上記実施の形態によれば、空調装置２０を節電状態にする手段として、インバータ電源装置の出力を下げて圧縮機２１の回転数を低下するようにしたが、他例としては、空調装置２０の全電源又は一部の電源をオフにする態様や、圧縮機のアンローダ装置を作動させてアンロード運転する態様等としてもよい。
【００５４】
更に他例としては、全閉でない開閉装置１０の数に応じて空調装置２０の節電量を変化させる態様、すなわち全閉でない開閉装置１０が多いほど、空調装置２０の節電量を多くする態様とすることも可能である。
【００５５】
更に他例としては、開閉装置１０の開放量を検出し、その開放量に応じて空調装置２０の節電量を変化させる態様、すなわち開閉装置１０の開放量が大きいほど、空調装置２０の節電量を多くする態様とすることも可能である。
【００５６】
また、空調装置２０に対し開閉装置１０が全く接続されない使用態様、すなわち空調装置２０が単体で用いられる使用態様が想定される場合には、その使用態様においては、空調装置２０に接続されている開閉装置１０（実際には接続されていない開閉装置１０）が全て閉鎖されているものとみなして、制御部２２による処理を実行すればよい。
具体的には、空調装置２０における開閉装置１０を接続する端子について、開閉装置１０が接続されていない場合の前記端子の電気状態と、接続された開閉装置１０が閉鎖している場合の前記端子の電気状態とが同じになるように（例えばいずれの場合も端子が開放された状態となるように）、開閉状況信号出力手段の開閉状況信号を設定すればよい。
【００５７】
また、図３に制御例を示す前記他の実施の形態において、複数の開閉装置１０の開閉状況に応じて空調装置２０の運転制御を行ったが、他例としては、複数の開閉装置１０のうち、その一部の開閉装置１０について、手動操作又は自動操作に基づき、開閉装置１０の開閉状況に応じた空調装置２０の運転制御をキャンセルするようにしてもよい。（この場合、例えば、前記一部の開閉装置１０を閉鎖状態とみなして空調装置２０の制御をすればよい。）この構成の使用態様としては、例えば、特に同様の空調を施した部屋同士を連通する開口部を開閉する開閉装置について、開けっ放しに維持したい場合に、前記のようにキャンセルをすると有用である。
【００５８】
また、図３に制御例を示す前記他の実施の形態において、一つの部屋に複数の開閉装置１０を有する構成とした場合、その全ての開閉装置１０の開閉状況に応じて空調装置２０を運転制御するようにしてもよいし、一部の開閉装置１０の開閉状況に応じて空調装置２０を運転制御するようにしてもよい。後者態様によれば、例えば、開口部の前後で温度差の発生しやすい開口部を開閉する一部の開閉装置１０のみ、その閉鎖動作を空調装置２０の運転開始に連動させ、その他の開閉装置１０は連動させない、という用い方が可能である。
【符号の説明】
【００５９】
１０：開閉装置
２０：空調装置
２２：制御部
２３：表示部
【図１】
2011190970.tif 000003
【図２】
2011190970.tif 000004
【図３】
2011190970.tif 000005
【図４】
2011190970.tif 000006